(57)【要約】【課題】  回収具本体と取っ手との構造により、簡単に組み立てられ、ヘラ部の先端を凹状にすることにより容易に糞をすくい上げることができる。さらに、袋を一体的に設けることにより、持ち帰りも楽で、汚れない犬の糞回収具を提供する。【解決手段】  筒状体の先端部にヘラ部を、後端部に内側に折り曲げる底板を一体に設けてなる回収具本体と、該回収具体に取り付ける取っ手とから構成されることを特徴とする犬の糞回収具。【選択図】図１
2007236376.tif 000002
【特許請求の範囲】
【請求項１】
筒状体の先端部にヘラ部を、後端部に内側に折り曲げる底板を一体に設けてなる回収具本体と、該回収具体に取り付ける取っ手とから構成されることを特徴とする犬の糞回収具。
【請求項２】
筒状体を、中央部付近より切断し、展開可能な形状であることを特徴とする請求項１記載の犬の糞回収具。
【請求項３】
ヘラ部の先端を凹状に形成してなることを特徴とする請求項１又は２記載の犬の糞回収具。
【請求項４】
筒状体の先端と、底板の後端に取っ手を取り付けるための切り目部を設けてなることを特徴とする請求項１、２又は３記載の犬の糞回収具。
【請求項５】
筒状体の先端部を開口状に形成すべく上折目部を設けると共に、後端部の底板を内側に折り曲げるための下折目部を設けたことを特徴とする請求項１、２、３又は４記載の犬の糞回収具。
【請求項６】
犬の糞回収具の適当な位置に、袋を一体的に設けてなることを特徴とする請求項１、２、３、４又は５記載の犬の糞回収具。
【発明の詳細な説明】
【技術分野】
【０００１】  本発明は、手を汚すことなく、犬の糞を回収することのできる犬の糞回収具に関するものである。
【背景技術】
【０００２】  従来の技術として、通常はバネの力で柄が約７０度開き、刃先側は閉じた状態になるクリップを硬質プラスチックで製作する。柄の長さは約７ｃｍ、刃先側の長さは約８ｃｍとし、その先端には下に述べるカートリッジ式糞取り袋を取り付ける差込み口を設ける。この差込み口には、カートリッジ式糞取り袋をしっかりと固定できる細工を施す。犬の糞を受け取る為の幅約２０ｃｍ、深さ約１７ｃｍの袋をポリエチレン等の焼却処理できる材料で作る。その入り口の縁沿いに袋の幅の約２／３に亘って弾力性のある硬質プラスチック製板を貼り付ける。この板の片側には長さ約２５ｍｍの上記クリップの差込み口へ入れる差込み部を設け、この部分は袋に貼り付けないで先端部はテーパー状にし、差し込み易くする。この袋１式をカートリッジ式糞取り袋という。このカートリッジ式糞取り袋をクリップの差込み口に差し込むと、クリップにしっかりと固定され、クリップの柄を握り締めると袋の入口に取り付けた弾力性硬質プラスチックの板がしなりながら開くことで袋の入口は円形に近い形に開く。
犬が便意をもよおしたら、袋が開いた状態で犬のお尻にあてて糞を受け取り、終わったら柄の握りを緩めるとクリップのバネの力で袋は自然に閉じる。糞の入った袋をプラスチック板に巻きつけると臭いが漏れなくなりコンパクトにしまうことが出来るので安心して持ち帰ることが出来る。袋をクリップから外してバックにしまってもよいし、装着したまま持って帰ることも出来る。帰宅後クリップを開き、糞の入った袋の底を持って逆さまにすると糞だけをトイレに流すことが出来る。カートリッジ式糞取り袋はクリップから外して地域のルールに従って処理するものがある。（特許文献１参照）【０００３】  また、別の従来技術として、複数の重ね合わせた弁が筒状に設けられ、収納容器本体に取りつけてある。使用時は収納容器本体を手で持ち糞に弁を被せるようにして地面の方向に押しながら回すことにより弁が内側に折れて絞り込むように閉じる、その際閉じながら収納容器本体に糞を取り込むことができるものがある。（特許文献２参照）【０００４】  さらに、別の従来技術として、平板、軟質ゴム体スペーサー２枚で構成する（平板は左右二辺に平行な二等分線又は四等分線上で内折れが可能）糞取り具はポリ袋を多重に被せ中央の折り目で内側に適宜な角度開いて糞を落下まえに平板で捕らえる。捕獲後平板を二つ折りにした状態で外側ポリ袋端を前方方向に引くとポリ袋が反転し糞をポリ袋内部に納める。ポリ袋開口部を閉じて棄却場所で捨てる。上記糞取り工程を特徴とする課題解決可能な犬の糞取り具を提供する。また同機能を持つカバー付、カバン付糞取り具がある。
【特許文献１】  特開２００６−２５７７７号公報
【特許文献２】  特開２００５−２８７４８０号公報
【特許文献３】  特開２００５−２６１３７２号公報
【発明の開示】
【発明が解決しようとする課題】
【０００５】  上記前者は、糞が落ちる前に直接受けるもので、多種多様なものが出願されているが、タイミングが難しく、実用的でない。
また、上記中者においては、糞には色々な大きさがあり、均一ではない。
よって、この形態では取れる糞と、取れない糞がでてくる不合理がある。
さらに、上記後者においては、平板の先端がフラットであり、実際には糞をすくい取るには不向きな形状である。【０００６】  本発明は、上記のような問題点に鑑みなされたもので、その目的は、回収具本体と取っ手との構造により、簡単に組み立てられ、ヘラ部の先端を凹状にすることにより容易に糞をすくい上げることができる。
さらに、袋を一体的に設けることにより、持ち帰りも楽で、汚れない犬の糞回収具を提供するものである。
【課題を解決するための手段】
【０００７】  本発明は上記目的を達成する手段として、筒状体の先端部にヘラ部を、後端部に内側に折り曲げる底板を一体に設けてなる回収具本体と、該回収具体に取り付ける取っ手とから構成される。
また、筒状体を、中央部付近より切断し、展開可能な形状である。
そして、ヘラ部の先端を凹状に形成してなる。
さらに、筒状体の先端と、底板の後端に取っ手を取り付けるための切り目部を設けてなる
さらにまた、筒状体の先端部を開口状に形成すべく上折目部を設けると共に、後端部の底板を内側に折り曲げるための下折目部を設けてなる。
そして、犬の糞回収具の適当な位置に、袋を一体的に設けてなることを特徴とする。
なお、２つあるいは４つ折りの紙製のヘラを使用する事も一考で、回収漏れなく全量速やかに回収できるものである。
【発明の効果】
【０００８】１）、回収具本体と取っ手との構造により、誰でも簡単に組み立てられ、持ち運びに便利であり、かつ衛生的に使用できる。
２）、ヘラ部の先端を凹状に形成することにより、糞を確実にすくい上げて取ることができる。
３）、切目部を設けることにより、回収具本体への取っ手の取り付けが簡単に行うことができる。
４）、袋を一体的に設けることにより、回収具本体内に糞を入れた後、持ち帰るとき、衛生的に持って帰れるものである。
５）、犬の糞を直接掴まないので、糞の硬さ等に関係なく手に嫌な感触が伝わらない。
【発明の実施するための最良の形態】
【０００９】  犬の糞回収具は、回収具本体１と取っ手３より構成されるもので、回収具本体１は紙製等により形成されてなるもので、筒状体１の先端一側中央を凹状１ａに形成し、他側中央に後述する取っ手を取り付けるための切目部１ｂを設けると共に、筒状体１の先端部を開口状に形成すべく内側へ折り曲げる円弧状の上折目部１ｃを設けてある。（筒状体１は中央部付近で展開されている。）
また、筒状体１の後端部に内側に折り曲げるべく下折目部２ｃを設けた、後端に上記と同様な切目部２ｂを設けた底板２を一体に設けてある。
【００１０】  上記取っ手３は、帯体３ａの両端に、上記切目部１ｂ・２ｂに挿入し、係止する係止片３ｂを突設してある。
【００１１】  つぎに、犬の糞回収具の組み立て及び使用例について述べる。
例えば、展開されてなる犬の糞回収具の筒状体１を、それぞれの端面Ｔを当接し、テープ（図示せず）で固定する。
つづいて、切目部１ｂ・２ｂに取っ手３の係止片３ｂを挿入し、係止させる。
その後、上折目部１ｃを内側に折り曲げ、開口Ｋを形成すると共に、下折目部２ｃを内側に折り曲げ、後端面ＫＴを筒状体１の内側に押圧当接させ、底板２を係止固定する。
【００１２】  この状態で、取っ手３を手（図示せず）で持ち、前方の糞下をヘラ部１ａで筒状体１内にすくい上げながら収納することができる。
【００１３】  つぎに、他の実施例を説明する。
この犬の糞回収具は、筒状体２１の後部底面２１ｄに、袋４を設けてなるもので、糞を収納した後、袋４にて筒状体２１の全体を包み、持ち帰ることのできるものである。
【００１４】  なお、上記各実施例において、筒状体の中央部付近で展開しているが、筒状体を加工工程内で接着後一体的形成するのも一考である。
また、必要に応じて、平板を２つあるいは４つ折り等してヘラを形成したものを付設するのも一考である。
【図面の簡単な説明】
【００１５】
【図１】  本発明の第一実施例を示す犬の糞回収具の筒状体の展開図。
【図２】  本発明の第一実施例を示す犬の糞回収具の筒状体の表側組立図。
【図３】  本発明の第一実施例を示す犬の糞回収具の筒状体の裏側組立図。
【図４】  本発明の第一実施例を示す犬の糞回収具の取っ手の平面図。
【図５】  本発明の第一実施例を示す犬の糞回収具の使用状態図。
【図６】  本発明の第二実施例を示す犬の糞回収具の組立図。
【符号の説明】
【００１６】  １−−−筒状体
１ａ−−凹状
１ｂ−−切目部
１ｃ−−上折目部
１ｄ−−後部底面
２−−−底板
２ｂ−−切目部
２ｃ−−下折目部
３−−−取っ手
３ｂ−−係止片
４−−−袋
Ｔ−−−端面
Ｋ−−−開口
ＫＴ−−後端面
【図１】
2007236376.tif 000003
【図２】
2007236376.tif 000004
【図３】
2007236376.tif 000005
【図４】
2007236376.tif 000006
【図５】
2007236376.tif 000007
【図６】
2007236376.tif 000008